(57)【要約】【課題】  構造が簡単で、部品点数が少なく、確実で円滑な骨検体の採取と骨組織の修復が実行できる骨検体採取・修復治具セットと骨検体採取・修復方法を提供すること。【解決手段】  骨検体Ａを採取する特定部位Ｂに挿入・配置される長尺の位置決め針３と、上記位置決め針３に対して外嵌めされ、先端に骨組織Ｃを掘削する掘削刃５を備えた長尺筒状の採取器具７と、上記採取器具７に対して外嵌めされ、先端に上記掘削部位周辺の骨組織Ｃの表面にくい込む係止爪９を備えた長尺筒状の保持器具１１とを具備し、保持器具１１を一方の手で保持した状態で、他方の手で採取器具７を操作して骨検体Ａを採取できるようにしたもの。【選択図】  図１
2008237302.tif 000002
【特許請求の範囲】
【請求項１】
骨検体を採取する特定部位に挿入・配置される長尺の位置決め針と、
上記位置決め針に対して外嵌めされ、先端に骨組織を掘削する掘削刃を備えた長尺筒状の採取器具と、
上記採取器具に対して外嵌めされ、先端に上記掘削部位周辺の骨組織の表面にくい込む係止爪を備えた長尺筒状の保持器具と、
を具備し、
上記位置決め針を引き抜き、上記保持器具を片手で保持した状態で、もう片方の手で上記採取器具を所定の方向に回しながら骨組織中に挿入して行き、所望の骨検体が採取された後、採取器具を採取した骨検体と共に外部に取り出すようにしたことを特徴とする骨検体採取・修復治具セット。
【請求項２】
請求項１に記載の骨検体採取・修復治具セットにおいて、
上記骨検体採取・修復治具セットには、更に、上記保持器具に内嵌めされる長尺筒状の注入管と、
上記注入管の基端部に取り付けられる注入器具と、
が具備されており、
上記採取器具を外部に取り出した後、上記保持器具内に上記注入管を挿入・配置し、該注入管の基端部に上記注入器具を接続し、注入器具内に充填されている骨セメントを上記注入管を介して上記掘削した骨組織中に注入するようにしたことを特徴とする骨検体採取・修復治具セット。
【請求項３】
請求項２に記載の骨検体採取・修復治具セットにおいて、
上記骨検体採取・修復治具セットには、更に、上記注入管に対して挿入される押込み棒が具備されており、
上記注入器具のみでは骨セメントの注入が困難な場合或いは上記注入器具を使用しないで骨セメントを注入したい場合には、
上記注入器具を上記注入管の基端部から取り外し、該注入管の基端部側から上記押込み棒を挿入して押し込むことによって上記注入管内に残留又は充填されている骨セメントを押し出すようにして上記掘削した骨組織中に骨セメントを至らせるようにしたことを特徴とする骨検体採取・修復治具セット。
【請求項４】
請求項１記載の骨検体採取・修復治具セットにおいて、
上記位置決め針と採取器具と保持器具の先端部にはＤＬＣ（Ｄｉａｍｏｎｄ  −Ｌｉｋｅ  Ｃａｒｂｏｎ）コーティングが施されていることを特徴とする骨検体採取・修復治具セット。
【請求項５】
骨検体を採取する特定部位に位置決め針を挿入・配置する位置決め針配置工程と、
上記位置決め針を案内として、該位置決め針に対して採取器具を外嵌めした状態で挿入・配置する採取器具配置工程と、
上記採取器具を案内として、該採取器具に対して保持器具を外嵌めした状態で挿入・配置して、保持器具先端の係止爪を上記挿入・配置した採取器具周辺の骨組織の表面にくい込ませる保持器具挿入・配置工程と、
上記位置決め針を引き抜き、上記保持器具の基端部に設けられている保持ハンドルを一方の手で握って保持し、他方の手で上記採取器具の基端部に取り付けられている操作ハンドルを握って所定の方向に回し、上記採取器具先端の掘削刃によって上記特定部位の骨組織を掘削する骨組織掘削工程と、
上記操作ハンドルを上記と逆の方向に回して採取した骨検体と共に上記採取器具を外部に取り出す骨検体採取工程と、
を具備したことを特徴とする骨検体採取・修復方法。
【請求項６】
請求項５に記載の骨検体採取・修復方法において、
上記骨検体採取・修復方法には更に、上記採取器具を外部に取り出した後、上記保持器具内に注入管を挿入・配置する注入管挿入・配置工程と、
上記注入管の基端部に注入器具を取り付けて、注入器具内に充填されている骨セメントを上記注入管を介して上記掘削した骨組織中に注入する骨セメント注入工程と、
上記注入管と上記注入器具を上記保持器具から引き抜き、上記保持器具を取り外して注入した骨セメントを養生・固化させる骨セメント養生・固化工程と、
を具備したことを特徴とする骨検体採取・修復方法。
【請求項７】
請求項６に記載の骨検体採取・修復方法において、
上記骨セメント注入工程のみによっては骨セメントを注入できない場合には上記骨セメント注入工程に代えて、或いは上記骨セメント注入工程の後に、
上記注入器具を上記注入管の基端部から取り外し、該注入管の基端部側から押込み棒を挿入して上記注入管内に残留又は充填されている骨セメントを押し出して上記掘削した骨組織中に骨セメントを至らせる骨セメント押出し工程を実行し、その後、上記注入管と上記押込み棒を上記保持器具から引き抜き、上記保持器具を取り外して押し出した骨セメントを養生・固化させる骨セメント養生・固化工程を実行するようにしたことを特徴とする骨検体採取・修復方法。
【発明の詳細な説明】
【技術分野】
【０００１】
本発明は、骨腫瘍等によって侵された特定部位の骨細胞を骨検体として採取する骨検体採取治具と、上記骨検体が採取されることによって形成された骨組織中の空洞部に骨セメントを充填して上記特定部位の修復を行う修復治具とが組み合わさった骨検体採取・修復治具セット及び該骨検体採取・修復治具セットを使用することによって実行される骨検体採取・修復方法に関するものである。
【背景技術】
【０００２】
レントゲン等によって、例えば、大腿骨に癌が発症しているという疑いが持たれた場合には、専用の骨検体採取治具等を使用して当該疑いが持たれた特定部位の骨細胞を骨検体として採取し、精密な検査が行われている。
従来の骨検体採取治具としては、例えば、下記の特許文献１や特許文献２に開示されているようなものがあり、採取器具の先端に設けられる刃の形状や角度を工夫することにより骨検体の捕捉力を向上させたり、捕捉された骨検体の採取器具内での移動を容易にしている。
【０００３】
しかし特許文献１に開示されている骨検体採取治具は構造が複雑で部品点数が多く、又、特許文献２に開示されている骨検体採取治具にあっては骨検体の捕捉性に劣る等、難点があった。また骨検体を採取する特定部位にずれが生ずるという位置決め精度の問題や骨検体採取後の特定部位の修復を別途行わなければならない等の操作性の問題もあり、更なる改良が求められていた。
また下記の特許文献３に開示されている骨検体採取治具は骨検体採取後の骨組織の修復機能を備えている点において特許文献１、２に開示されている骨検体採取治具より優れているが、粘度が高く、空気抵抗の問題もあって注入しにくい骨セメントの注入効率の点と、特許文献１の骨検体採取治具と同様、構造が複雑で
部品点数が多い点において改良の余地が残されていた。
【０００４】
【特許文献１】特開２００１−３０９９１９号公報
【特許文献２】特表平９−５０６８０２号公報
【特許文献３】特開２００３−２４３３９号公報
【発明の開示】
【発明が解決しようとする課題】
【０００５】
上記背景技術及び背景技術が抱えていた問題点を踏まえて本発明が解決しようとする課題を整理すると、構造が簡単で部品点数が少なく、位置決め精度に優れ、確実で円滑な骨検体の採取が可能で、骨検体採取後の骨組織の修復にも対応でき、骨セメントの注入が困難な場合でも円滑に骨セメントを注入できるようにすることである。
【０００６】
そして本発明はこのような点に基づいてなされたものでその目的とするところは、部品の付け替え方式を採用することによって構造を簡単にして一つの作業に使用する部品点数を少なくし、又、位置決め精度を向上させることによって確実で円滑な骨検体の採取を可能にし、骨検体採取後の骨組織の修復作業を併せて容易に実行することのできる骨検体採取・修復治具セット及び該骨検体採取・修復治具セットを使用することによって実行される骨検体採取・修復方法を提供することにある。
【課題を解決するための手段】
【０００７】
上記目的を達成するべく本願発明の請求項１による骨検体採取・修復治具セットは、骨検体を採取する特定部位に挿入・配置される長尺の位置決め針と、上記位置決め針に対して外嵌めされ、先端に骨組織を掘削する掘削刃を備えた長尺筒状の採取器具と、上記採取器具に対して外嵌めされ、先端に上記掘削部位周辺の骨組織の表面にくい込む係止爪を備えた長尺筒状の保持器具と、を具備し、上記位置決め針を引き抜き、上記保持器具を片手で保持した状態で、もう片方の手で上記採取器具を所定の方向に回しながら骨組織中に挿入して行き、所望の骨検体が採取された後、採取器具を採取した骨検体と共に外部に取り出すようにしたことを特徴とするものである。
又、請求項２による骨検体採取・修復治具セットは、請求項１に記載の骨検体採取・修復治具セットにおいて、上記骨検体採取・修復治具セットには更に、上記保持器具に内嵌めされる長尺筒状の注入管と、上記注入管の基端部に取り付けられる注入器具と、が具備されており、上記採取器具を外部に取り出した後、上記保持器具内に上記注入管を挿入・配置し、該注入管の基端部に上記注入器具を接続し、注入器具内に充填されている骨セメントを上記注入管を介して上記掘削した骨組織中に注入するようにしたことを特徴とするものである。
又、請求項３による骨検体採取・修復治具セットは、請求項２に記載の骨検体採取・修復治具セットにおいて、上記骨検体採取・修復治具セットには更に、上記注入管に対して挿入される押込み棒が具備されており、上記注入器具のみでは骨セメントの注入が困難な場合或いは上記注入器具を使用しないで骨セメントを注入したい場合には、上記注入器具を上記注入管の基端部から取り外し、該注入管の基端部側から上記押込み棒を挿入して押し込むことによって上記注入管内に残留乃至充填されている骨セメントを押し出すようにして上記掘削した骨組織中に骨セメントを至らせるようにしたことを特徴とするものである。
又、請求項４による骨検体採取・修復治具セットは、請求項１記載の骨検体採取・修復治具セットにおいて、上記位置決め針と採取器具と保持器具の先端部にはＤＬＣ（Ｄｉａｍｏｎｄ−Ｌｉｋｅ  Ｃａｒｂｏｎ）コーティングが施されていることを特徴とするものである。
又、請求項５による骨検体採取・修復方法は、骨検体を採取する特定部位に位置決め針を挿入・配置する位置決め針配置工程と、上記位置決め針を案内として、該位置決め針に対して採取器具を外嵌めした状態で挿入・配置する採取器具配置工程と、上記採取器具を案内として、該採取器具に対して保持器具を外嵌めした状態で挿入・配置して、保持器具先端の係止爪を上記挿入・配置した採取器具周辺の骨組織の表面にくい込ませる保持器具挿入・配置工程と、上記位置決め針を引き抜き、上記保持器具の基端部に設けられている保持ハンドルを一方の手で握って保持し、他方の手で上記採取器具の基端部に取り付けられている操作ハンドルを握って所定の方向に回し、上記採取器具先端の掘削刃によって上記特定部位の骨組織を掘削する骨組織掘削工程と、上記操作ハンドルを上記と逆の方向に回して採取した骨検体と共に上記採取器具を外部に取り出す骨検体採取工程と、
を具備したことを特徴とするものである。
又、請求項６による骨検体採取・修復方法は、請求項５に記載の骨検体採取・修復方法において、上記骨検体採取・修復方法には更に、上記採取器具を外部に取り出した後、上記保持器具内に注入管を挿入・配置する注入管挿入・配置工程と、上記注入管の基端部に注入器具を取り付けて、注入器具内に充填されている骨セメントを上記注入管を介して上記掘削した骨組織中に注入する骨セメント注入工程と、上記注入管と上記注入器具を上記保持器具から引き抜き、上記保持器具を取り外して注入した骨セメントを養生・固化させる骨セメント養生・固化工程と、を具備したことを特徴とするものである。
又、請求項７による骨検体採取・修復方法は、請求項６に記載の骨検体採取・修復方法において、上記骨セメント注入工程のみによっては骨セメントを注入できない場合には上記骨セメント注入工程に代えて、或いは上記骨セメント注入工程の後に、上記注入器具を上記注入管の基端部から取り外し、該注入管の基端部側から押込み棒を挿入して上記注入管内に残留乃至充填されている骨セメントを押し出して上記掘削した骨組織中に骨セメントを至らせる骨セメント押出し工程を実行し、その後、上記注入管と上記押込み棒を上記保持器具から引き抜き、上記保持器具を取り外して押し出した骨セメントを養生・固化させる骨セメント養生・固化工程を実行するようにしたことを特徴とするものである。
【発明の効果】
【０００８】
したがって、本発明による骨検体採取・修復治具セット及び骨検体採取・修復方法によると、骨検体を採取する特定部位に挿入・配置される長尺の位置決め針と、上記位置決め針に対して外嵌めされ、先端に骨組織を掘削する掘削刃を備えた長尺筒状の採取器具と、上記採取器具に対して外嵌めされ、先端に上記掘削部位周辺の骨組織の表面にくい込む係止爪を備えた長尺筒状の保持器具と、を具備し、上記位置決め針を引き抜き、上記保持器具を片手で保持した状態で、もう片方の手で上記採取器具を所定の方向に回しながら骨組織中に挿入して行き、所望の骨検体が採取された後、採取器具を採取した骨検体と共に外部に取り出すようにした構成になっているので、構造が簡単で部品点数が少なくなる。又、位置決め針の採用により位置決め精度が向上し、骨検体の採取が確実で円滑になる。
又、上記骨検体採取・修復治具セットには更に、上記保持器具に内嵌めされる長尺筒状の注入管と、上記注入管の基端部に取り付けられる注入器具と、が具備されており、上記採取器具を外部に取り出した後、上記保持器具内に上記注入管を挿入・配置し、該注入管の基端部に上記注入器具を接続し、注入器具内に充填されている骨セメントを上記注入管を介して上記掘削した骨組織中に注入するようにした場合には、骨検体の採取に加えて、骨検体採取後の特定部位の修復作業を当該骨検体採取・修復装置を使用して併せて実行することが可能になる。又、部品の付け替え方式の採用によって構造が簡単になり、１つの作業で使用する部品点数も少なくなる。
又、上記骨検体採取・修復治具セットには更に、上記注入管に対して挿入される押込み棒が具備されており、上記注入器具のみでは骨セメントの注入が困難な場合或いは上記注入器具を使用しないで骨セメントを注入したい場合には、上記注入器具を上記注入管の基端部から取り外し、該注入管の基端部側から上記押込み棒を挿入して押し込むことによって上記注入管内に残留又は充填されている骨セメントを押し出すようにして上記掘削した骨組織中に骨セメントを至らせるようにした場合には、注入が困難な粘度の高い骨セメントの注入、充填が容易に実行できるようになる。又、部品付け替え方式の採用によって当該作業で使用する部品点数は最小限の数に抑えられている。
又、上記位置決め針と採取器具と保持器具の先端部にＤＬＣ（Ｄｉａｍｏｎｄ  −Ｌｉｋｅ  Ｃａｒｂｏｎ）コーティングを施した場合には、潤滑性と耐溶着性を高めることができ、器具の耐久性を向上させることができるとともに円滑な動作を実現することができる。
【発明を実施するための最良の形態】
【０００９】
以下、図１乃至図７を参照し、本発明の一実施の形態による骨検体採取・修復治具セット１の構成と、当該骨検体採取・修復治具セット１を使用することによって実行される本発明の骨検体採取・修復方法について具体的に説明する。
（１）骨検体採取・修復治具セットの構成（図１〜図４参照）
本実施の形態による骨検体採取・修復治具セット１は、図１及び図２に示すように、骨検体Ａを採取する特定部位Ｂに挿入・配置される長尺の位置決め針３と、上記位置決め針３に対して外嵌めされ、先端に骨組織Ｃを掘削する掘削刃５を備えた長尺円筒状の採取器具７と、上記採取器具７に対して外嵌めされ、先端に上記掘削部位周辺の骨組織Ｃの表面にくい込む係止爪９を備えた長尺円筒状の保持器具１１とを具備することによって基本的に構成されている。
【００１０】
位置決め針３は、一例として、直径が２．５ｍｍ、長さが２３０ｍｍ程度の長尺な金属製の丸棒状の部材である。その先端部には細かなピッチの雄ネジ部１３が表面に刻設されており、当該雄ネジ部１３の先端側の部分を斜めに切り落とすことによって直接、特定部位Ｂの骨組織Ｃに突き刺して位置決め作用を実行する尖端部１５が形成されている。上記位置決め針３の先端部（例えば、２０〜３０ｍｍ程度の範囲）にはＤＬＣ（Ｄｉａｍｏｎｄ−Ｌｉｋｅ  Ｃａｒｂｏｎ）コーティングが施されている。それによって、潤滑性と耐溶着性を高めようとするものである。
上記採取器具７は、一例として、外径が４．５ｍｍ、内径が３ｍｍ、長さが１６０ｍｍ程度の長尺な金属製の円管状の部材である。その先端部にはピッチが粗く、ネジ高さの浅いドリル部１７が形成されており、当該ドリル部１７の先端に側面視三角形状の３つの刃部によって構成されている掘削刃５が設けられている。又、採取器具７の基端部には採取器具７を使用して骨検体Ａを採取する場合に使用される操作ハンドル１９を取り付けるための雄ネジ部２１と、掘削刃５による掘削深さを知る目安となる目盛り部２３とが設けられている。上記採取器具７の先端部（例えば、２０〜３０ｍｍ程度の範囲）にはＤＬＣ（Ｄｉａｍｏｎｄ−Ｌｉｋｅ  Ｃａｒｂｏｎ）コーティングが施されている。それによって、潤滑性と耐溶着性を高めようとするものである。
【００１１】
上記保持器具１１は、一例として、外径が７ｍｍ、内径が５ｍｍ、長さが１２０ｍｍ程度の長尺な金属製の円管状の部材である。その先端部には雄ネジ部２５が表面に刻設されており、当該雄ネジ部２５を円周方向にジグザグに切り取る、側面視三角形状の多数の突起によって構成されている係止爪９が設けられている。  又、保持器具１１の基端部には保持器具１１と直交するように円管状の保持ハンドル２７が一体に設けられている。上記保持器具１１の先端部（例えば、２０〜３０ｍｍ程度の範囲）にはＤＬＣ（Ｄｉａｍｏｎｄ−Ｌｉｋｅ  Ｃａｒｂｏｎ）コーティングが施されている。それによって、潤滑性と耐溶着性を高めようとするものである。
【００１２】
上記ＤＬＣ（Ｄｉａｍｏｎｄ−Ｌｉｋｅ  Ｃａｒｂｏｎ）コーティングであるが、ダイヤモンドに似た物性を持つアモルファス状の炭素膜である。又、その物性は、まず、硬度が高くて耐摩耗性に優れているとともに摩擦係数が低く、それによって、すでに述べた潤滑性と耐溶着性を高めることができ、器具の耐久性の向上と動作の円滑化を図ることができる。
又、ＤＬＣ（Ｄｉａｍｏｎｄ−Ｌｉｋｅ  Ｃａｒｂｏｎ）コーティングの方法としては、例えば、スパッタ法やアークイオンプレーティング法等の物理的蒸着法(ＰＶＤ法)、化学的蒸着法（ＣＶＤ法）等がある。
尚、ＤＬＣ（Ｄｉａｍｏｎｄ−Ｌｉｋｅ  Ｃａｒｂｏｎ）コーティングを開示するものとして、例えば、特許文献４、特許文献５等がある。
【００１３】
【特許文献４】特開２００２−４７５５６号公報
【特許文献５】特開２００４−２５６９１２号公報
【００１４】
そしてこのような骨検体採取・修復治具セット１を使用して骨検体Ａを採取する場合には、特定部位Ｂの位置決めに使用した位置決め針３を採取器具７と保持器具１１のセット後、引き抜き、上記保持器具１１を一方の手で保持した状態で、他方の手で上記採取器具７を所定の方向に回しながら骨組織Ｃ中に挿入して行き、所望の量の骨検体Ａが採取された後、採取器具７を上記と逆の方向に回して(或いは、回すことなくそのまま)採取した骨検体Ａと共に採取器具７を外部に取り出すようにする。
【００１５】
又、本発明の骨検体採取・修復治具セット１には、図１及び図２に示す上記基本的な構成に加えて、さらに図３に示す注入管２９と、注入器具３１とを具備することが可能である。
注入管２９は上記保持器具１１に内嵌めされ、一例として、外径が４ｍｍ、内径が３ｍｍ、長さが１４０ｍｍ程度の金属製の長尺な円管状の部材である。注入管２９の先端部には保持器具１１乃至骨検体Ａを採取した後の空洞部Ｄへの注入管２９の挿入を容易にするためのテーパ部３３が形成されている。
又、注入管２９の基端側には拡径部３５が設けられており、該拡径部３５の端部には端面形状が楕円形乃至俵形をしたフランジ部３９が形成されている。
【００１６】
注入器具３１はシリンダ部４１とピストン部４３とによって構成される注射器様の部材である。シリンダ部４１は円筒容器状の部材で、一例として、６ミリリットル程度の骨セメントＥを充填できる容量を有している。シリンダ部４１の先端部には上記注入管２９と接続するための内筒部４５と外筒部４７とによって構成されている接続部４９が設けられている。
内筒部４５は外径が４ｍｍ、長さが１０ｍｍ程度の先端側の端面が閉塞された円筒状の部材で、閉塞された端面の中心には骨セメントＥを注入するための注入孔５１が形成されている。
【００１７】
外筒部４７は外径が９ｍｍ、内径が７ｍｍ、長さが８ｍｍ程度の基端側の端面が閉塞された円筒状の部材で、閉塞された端面の中心には上記注入孔５１と連通する連通孔５３が形成されている。又、外筒部４７の内周面には雌ネジ部３７が刻設されており、該雌ネジ部３７に対して上記注入管２９のフランジ部３９が螺合し、上記内筒部４５が上記注入管２９における拡径部３５の嵌合穴５５に挿嵌されることによって上記注入管２９と注入器具３１は直列状態で接続されるようになっている。
【００１８】
又、シリンダ部４１の基端部には注入器具３１を使用する場合に指を掛ける鍔状の指掛け部５７が設けられている。
ピストン部４３は先端部に一例として合成ゴム製の押圧部５９を備えた長杆状の部材で、基端部には骨セメントＥを注入する場合に指で押す円板状の指当て部６１が形成されている。
尚、上記注入器具３１は上記押圧部５９を除いて同一の合成樹脂材料によって形成されている。
【００１９】
そしてこのような骨検体採取・修復治具セット１を使用して上記空洞部Ｄが形成された特定部位Ｂを修復する場合には、骨検体Ａの採取に使用した採取器具７を外部に取り外した後、上記保持器具１１内に上記注入管２９を挿入・配置する。そして該注入管２９の基端部に設けられた上記拡径部３５とフランジ部３９を利用して上記注入器具３１の接続部４９と接続し、該注入器具３１内に充填されている骨セメントＥを上記注入管２９を介して上記空洞部Ｄに注入するようにする。
【００２０】
又、本発明の骨検体採取・修復治具セット１には図１、図２に示す基本的構成及び図３に示す構成に加えて更に図４に示す押込み棒６３を具備することが可能である。
押込み棒６３は上記注入器具３１に代えて上記注入管２９に挿入される骨セメントＥの押出し充填用の器具である。押込み棒６３は直径が３ｍｍ、長さが１４０ｍｍ程度の丸棒状の部材でその周面の一部には長さ方向に沿って円弧状にえぐられた凹条部６５が形成されている。
又、押込み棒６３の基端部には押込み棒６３を使用する場合に指で掴む円柱状の頭部６７が設けられている。
尚、頭部６７の周面には滑り止め用のローレット加工が施されている。
【００２１】
そしてこのような骨検体採取・修復治具セット１を使用して、上記空洞部Ｄが形成された特定部位Ｂを修復する場合には、上記注入器具３１を上記注入管２９の基端部から取り外し、該注入管２９の基端部の拡径部３５に形成されている嵌合穴５５内に上記押込み棒６３を挿入する。次いで頭部６７を持って押込み棒６３を注入管２９内に押し込んで行くことによって、注入管２９内に残留乃至充填されている骨セメントＥを上記空洞部Ｄに押し出すようにして充填して行く。
上記押込み棒６３を使用するケースとしては次のような場合が想定される。すなわち、上記注入器具３１の場合に刃圧力の逃げる空間がないために、ピストン部４３がシリンダ部４１内に円滑に挿入されない場合がある。このような場合に、注入器具３１に代わって上記押込み棒６３による押し込みに切り換えるものである。
【００２２】
（２）骨検体採取・修復方法（図５〜図７参照）
本実施の形態による骨検体採取・修復方法は上記骨検体採取・修復治具セット１を使用することによって実行される。
具体的には本発明の骨検体採取・修復方法は、図５に示すように、位置決め針配置工程と、採取器具配置工程と、保持器具挿入・配置工程と、骨組織掘削工程と、骨検体採取工程とを順次実行することによって基本的に構成されている。
【００２３】
位置決め針配置工程は、図５（ａ）に示すように、骨検体Ａを採取する特定部位Ｂに位置決め針３を挿入・配置する工程である。
尚、本工程に先立ってＸ線等によって撮像した画像を元に、骨検体Ａを採取する特定部位Ｂを特定しておき、局部乃至全身麻酔をかけて、施術個所の消毒等を済ませておく。
【００２４】
採取器具配置工程は、図５（ｂ）に示すように、上記位置決め針３を案内として、該位置決め針３に対して採取器具７を外嵌めした状態で挿入・配置する工程である。又、保持器具挿入・配置工程は、図５（ｃ）に示すように、上記採取器具７を案内として、該採取器具７に対して保持器具１１を外嵌めした状態で挿入・配置して、保持器具１１先端の係止爪９を上記挿入・配置した採取器具７周辺の骨組織Ｃの表面にくい込ませる工程である。
尚、上記２工程では、位置決め針３と該位置決め針３によって位置決めされた採取器具７とが案内部材として作用するため、採取器具７と保持器具１１は自動的に最適な位置に配置される。
【００２５】
骨組織掘削工程は、図５（ｄ）に示すように、上記位置決め針３を引き抜き、上記保持器具１１の基端部に設けられている保持ハンドル２７を一方の手で握って保持し、他方の手で上記採取器具７の基端部の雄ネジ部２１に取り付けた操作ハンドル１９を握ってドリル部１７の進入方向に採取器具７を回し、該ドリル部１７の先端部に形成されている掘削刃５によって上記特定部位Ｂの骨組織Ｃを掘削する工程である。
又、骨検体採取工程は、図５（ｅ）に示すように、上記操作ハンドル１９をドリル部１７の退出方向に回して（或いは回転させることなくそのまま）採取した骨検体Ａと共に上記採取器具７を外部に取り出す工程である。
尚、ドリル部１７の掘削深さは目盛り部２３によって確認でき、掘削された骨組織Ｃは骨検体Ａとして上記ドリル部１７の内方空間内に収容され、採取器具７と共に外部に取り出される。
【００２６】
本実施の形態による骨検体採取・修復方法は、上記基本的構成に続いて、更に図６に示すように注入管挿入・配置工程と、骨セメント注入工程と、骨セメント養生・固化工程とを準じ実行することによって構成することも可能である。
注入管挿入・配置工程は、図６（ａ）に示すように、骨検体Ａを採取した上記採取器具７を外部に取り出した後、上記保持器具１１内に注入管２９を挿入・配置する工程である。
尚、注入管２９はテーパ部３３側から挿入され、テーパ部３３に案内されて保持器具１１内及び空洞部Ｄ内に円滑に挿入されて至ることができる。
【００２７】
骨セメント注入工程は、図６（ｂ）に示すように、注入管２９の拡径部３５に注入器具３１の接続部４９を接続して注入器具３１内に充填されている骨セメントＥを上記注入管２９を介して空洞部Ｄ中に注入する工程である。
尚、注入器具３１の接続は注入器具３１を所定の方向に回すことによって上記フランジ部３９が雌ネジ部３７に螺合しながら雌ネジ部３７の奥部に至り、同時に内筒部４５が拡径部３５に形成されている嵌合穴５５内に進入し、嵌合することによって行われる。又、骨セメントＥの注入はシリンダ部４１の指掛け部５７に例えば人差し指と中指を掛け、ピストン部４３の指当て部６１に親指を当てて、押し込むことによって実行される。
【００２８】
骨セメント養生・固化工程は、図６（ｃ）に示すように、骨セメントＥ注入後の注入管２９と注入器具３１を保持器具１１から引き抜き、更に上記保持器具１１を取り外して空洞部Ｄに充填された骨セメントＥを養生・固化させる工程である。
又、本実施の形態の骨検体採取・修復方法は上記構成に続いて或いは上記構成の一部に代えて、図７に示すように、骨セメント押出し工程を実行するように構成することも可能である。
【００２９】
骨セメント押出し工程は、図７（ａ）に示すように、上記骨セメント注入工程のみによっては骨セメントＥを注入できない場合に適用される工程であり、上記骨セメント注入工程に代えて、或いは上記骨セメント注入工程を実行した後に実行される。
具体的には、上記注入器具３１を上記注入管２９の拡径部３５から取り外し、該拡径部３５の嵌合穴５５に押込み棒６３を挿入して上記注入管２９内に残留乃至充填されている骨セメントＥを押し出して空洞部Ｄ内に骨セメントＥを至らせる工程である。
尚、押込み棒６３の周面には上述のように凹条部６５が形成されているから、空気抵抗等の影響を受けることなく円滑に骨セメントＥの押し出しが実行される。
【００３０】
尚、本発明は上述した一実施の形態に限定されるものではない。
例えば骨検体採取・修復治具セット１を構成する諸部材の形状や寸法は上記実施の形態で開示したものに限らず、特定部位Ｂの違いや採取する骨検体Ａの量等に対応して適宜変更することが可能である。
又、人以外の動物の骨検体Ａの採取や修復に本発明の骨検体採取・修復治具セット１を使用することも可能であり、この他、同様の性状を有する骨以外の検体の採取等に適用範囲を拡大することも可能である。
【産業上の利用可能性】
【００３１】
本発明は骨腫瘍等の疑いがある特定部位の骨組織を骨検体として採取すると共に、骨検体採取後の骨組織の修復機能を兼ね備えた骨検体採取・修復治具セットの製造、使用分野等において利用でき、特に構造が簡単で部品点数が少なくでき、確実で円滑な骨検体の採取と骨組織の修復を実行したい場合に利用可能性を有する。
【図面の簡単な説明】
【００３２】
【図１】本発明の一実施の形態を示す図で、骨検体採取時の骨検体採取・修復治具セットの使用状態を示す斜視図である。
【図２】本発明の一実施の形態を示す図で、骨検体の採取に使用する骨検体採取・修復治具セットの構成部品を示す分解斜視図である。
【図３】本発明の一実施の形態を示す図で、骨セメントの注入に使用する骨検体採取・修復治具セットの構成部品を示す分解斜視図である。
【図４】本発明の一実施の形態を示す図で、骨セメントの押し出しに使用する骨検体採取・修復治具セットの構成部品を示す分解斜視図である。
【図５】本発明の一実施の形態を示す図で、骨検体採取・修復方法における骨検体の採取までの工程を順に示す側断面図である。
【図６】本発明の一実施の形態を示す図で、骨検体採取・修復方法における骨セメントの注入に使用する工程を順に示す側断面図である。
【図７】本発明の一実施の形態を示す図で、骨検体採取・修復方法における骨セメントの押し出しに使用する工程を順に示す側断面図である。
【符号の説明】
【００３３】
１  骨検体採取・修復治具セット
３  位置決め針
５  掘削刃
７  採取器具
９  係止爪
１１  保持器具
１３  雄ネジ部
１５  尖端部
１７  ドリル部
１９  操作ハンドル
２１  雄ネジ部
２３  目盛り部
２５  雄ネジ部
２７  保持ハンドル
２９  注入管
３１  注入器具
３３  テーパ部
３５  拡径部
３７  雌ネジ部
３９  フランジ部
４１  シリンダ部
４３  ピストン部
４５  内筒部
４７  外筒部
４９  接続部
５１  注入孔
５３  連通孔
５５  嵌合穴
５７  指掛け部
５９  押圧部
６１  指当て部
６３  押込み棒
６５  凹条部
６７  頭部
Ａ  骨検体
Ｂ  特定部位
Ｃ  骨組織
Ｄ  空洞部
Ｅ  骨セメント
【図１】
2008237302.tif 000003
【図２】
2008237302.tif 000004
【図３】
2008237302.tif 000005
【図４】
2008237302.tif 000006
【図５】
2008237302.tif 000007
【図６】
2008237302.tif 000008
【図７】
2008237302.tif 000009